(57)【特許請求の範囲】
【請求項１】
第１のセット口に装填された複数枚の原稿束から原稿を自動で分離搬送する分離搬送機構部と、前記原稿束の装填されたことを検知する第１の検知手段と、第２のセット口より１枚ずつ手動で装填された原稿を検知する第２の検知手段と、原稿搬送路の画像読取センサとその上流側と下流側に配置される搬送ローラからなる読取部と、前記第１のセット口に装填された原稿を第１搬送路を通り前記読取部へ搬送する第１の搬送手段と、該第１の搬送手段と前記読取部との間で原稿の先後端を検知する第３の検知手段と、前記第２のセット口に装填された原稿を第２搬送路を通り前記読取部へ搬送する第２の搬送手段と、前記読取部の画像読取センサと上流搬送ローラとの間で原稿の先後端を検知する第４の検知手段と、前記分離搬送機構部と第１の搬送手段を駆動する第１の駆動モータと、前記読取部の上流，下流搬送ローラと第２の搬送手段を駆動する第２の駆動モータと、前記第２搬送路と第１搬送路が交わる搬送路交点と第２の搬送手段との間に原稿の先後端を検知する第５の検知手段と、前記第２の搬送手段を駆動する第２の駆動モータからの駆動力をオン・オフするクラッチと、ユーザから操作指示を行う操作部と、装置状態を表示する表示部と、入力された操作指示を記憶する記憶部とを備え、
前記第２の駆動モータにより駆動する第２の搬送手段と前記読取部を直線状に配置し、前記第２のセット口から前記第２の搬送手段により前記読取部へ搬送された原稿を前記画像読取センサで読み取っている間に、前記第１のセット口から前記分離搬送機構部と前記第１の搬送手段によって分離・搬送される原稿を、前記第３の検知手段がその先端を検知した位置で前記第１の駆動モータを停止して原稿を待機させ、前記第４の検知手段により前記読み取っている原稿の後端検知後に、前記第１の駆動モータを再起動させて待機原稿を搬送し読み取りを行い、
また、前記第１のセット口から前記分離搬送機構部と前記第１の搬送手段によって分離・搬送された原稿を前記読取部の画像読取センサで読み取っている間に、前記第２のセット口から前記第２の搬送手段により搬送された原稿が前記第５の検知手段でその先端を検知した位置で、前記クラッチにより第２の駆動モータからの駆動力をオフして原稿を待機させ、第４の検知手段により前記読み取っている原稿の最終頁の後端検知後に、前記クラッチをオンさせて待機原稿を搬送し読み取りを行い、
また、前記操作部からの入力に応じた前記第１のセット口に装填された原稿束が分離・搬送されて読み取られる原稿の任意の頁間に、第２のセット口に装填された原稿の読み取りを行う制御をすることを特徴とする原稿読取装置。
【請求項２】
前記原稿読取装置は、第１のセット口に装填された原稿束が分離・搬送されて読み取り処理中で、第３の検知手段が第１搬送路の原稿先端を検知しているときに、第２のセット口に原稿が装填されたことを第２の検知手段で検知すると、第２の搬送手段により原稿の搬送を行い第５の検知手段の原稿先端の検知により停止して待機し、前記第３の検知手段の原稿の後端検知により前記待機している原稿の搬送を開始して読み取りを行うことを特徴とする請求項１記載の原稿読取装置。
【請求項３】
前記原稿読取装置は、第２のセット口に原稿が装填されたことを第２の検知手段が検知した際に、第１のセット口から分離・搬送され読み取り処理中の途中に、原稿読み取りの割込指示をオン・オフする釦スイッチを第２のセット口の近傍に備え、前記釦スイッチのオン・オフにより前記第２のセット口から搬送される原稿読み取りの割り込みを制御することを特徴とする請求項２記載の原稿読取装置。
【請求項４】
前記原稿読取装置は、第１のセット口に装填された原稿束が分離・搬送される読み取り処理中の状況を表示部に示し、第２のセット口から原稿読み取りの割込指示が受付可能か否かを通知することを特徴とする請求項２記載の原稿読取装置。
【発明の詳細な説明】
【０００１】
【発明の属する技術分野】
本発明は、複数枚の原稿束を自動的に分離・搬送する第１のセット口と１枚の手差し原稿を搬送する第２のセット口を有する原稿読取装置に関するものである。
【０００２】
【従来の技術】
従来の２つの搬送路を有する原稿読取装置として、例えば、特開平１０−３５９５４号公報に記載されているものがある。その画像読取装置は図１１に示すように構成されている。図１１において、１は原稿Ｄの束が装填される第１のセット口、２は第１のセット口１に装填された原稿Ｄの束に圧接するピックアップコロ、３はフィードローラ、４はリバースローラ、５は給紙された原稿ＤをＵ字状に湾曲した第１搬送路６に沿って搬送する第１の搬送手段、７は読取部８における画像読取センサ８ａの上流側に配置され第１の搬送手段５により送り出された原稿Ｄを読取部８内で搬送するレジストローラ対の上流搬送ローラ、９は画像読取センサ８ａの下流側に配置された下流搬送ローラ、１０は原稿Ｄを装置外部に排紙する排紙ローラ、１１は手差し原稿を装填する第２のセット口、１１ａは原稿センサ、１２は第２のセット口１１から給紙された原稿を第２の搬送路１３に沿って搬送する第２の搬送手段、１４は上流搬送ローラ７の直前の位置で原稿Ｄを検出するレジストセンサである。
【０００３】
前記従来例では、第１のセット口１に複数枚装填された原稿束から分離・搬送された原稿Ｄは、その先端を検出するレジストセンサ１４により第１の搬送手段５と上流搬送ローラ７とのレジスト調整を行って読取部８で読み取られる。また、第２のセット口１１から装填された厚手の原稿Ｄは、第２の搬送手段１２から読取部８に搬送され読み取りが行われる。
【０００４】
【発明が解決しようとする課題】
しかしながら、このような構成の原稿読取装置は、第１のセット口と第２のセット口のいずれかの読み取り処理が行われるものであり、読み取り順等の制御を行うことができず、さらに、１枚目を第２のセット口から搬送し，２枚目を第１のセット口から搬送したとき、１頁目の後端と２頁目の先端が開いてしまい読み取り時間がかかってしまうという問題があった。
【０００５】
本発明は、前記従来技術の問題を解決することに指向するものであり、複数枚の原稿束を装填する第１のセット口と手差しによる１枚の原稿を装填する第２のセット口を有する原稿読取装置において、どちらのセット口からも読み取り順を任意に選択でき、原稿の切り換え処理を短縮する原稿読取装置を提供することを目的とする。
【０００６】
【課題を解決するための手段】
この目的を達成するために、本発明に係る原稿読取装置は、第１のセット口に装填された複数枚の原稿束から原稿を自動で分離搬送する分離搬送機構部と、原稿束の装填されたことを検知する第１の検知手段と、第２のセット口より１枚ずつ手動で装填された原稿を検知する第２の検知手段と、原稿搬送路の画像読取センサとその上流側と下流側に配置される搬送ローラからなる読取部と、第１のセット口に装填された原稿を第１搬送路を通り読取部へ搬送する第１の搬送手段と、第１の搬送手段と読取部との間で原稿の先後端を検知する第３の検知手段と、第２のセット口に装填された原稿を第２搬送路を通り読取部へ搬送する第２の搬送手段と、読取部の画像読取センサと上流搬送ローラとの間で原稿の先後端を検知する第４の検知手段と、分離搬送機構部と第１の搬送手段を駆動する第１の駆動モータと、読取部の上流，下流搬送ローラと第２の搬送手段を駆動する第２の駆動モータと、第２搬送路と第１搬送路が交わる搬送路交点と第２の搬送手段との間に原稿の先後端を検知する第５の検知手段と、第２の搬送手段を駆動する第２の駆動モータからの駆動力をオン・オフするクラッチと、ユーザから操作指示を行う操作部と、装置状態を表示する表示部と、入力された操作指示を記憶する記憶部とを備え、第２の駆動モータにより駆動する第２の搬送手段と読取部を直線状に配置し、第２のセット口から第２の搬送手段により読取部へ搬送された原稿を画像読取センサで読み取っている間に、第１のセット口から分離搬送機構部と第１の搬送手段によって分離・搬送される原稿を、第３の検知手段がその先端を検知した位置で第１の駆動モータを停止して原稿を待機させ、第４の検知手段により読み取っている原稿の後端検知後に、第１の駆動モータを再起動させて待機原稿を搬送し読み取りを行い、また、第１のセット口から分離搬送機構部と第１の搬送手段によって分離・搬送された原稿を読取部の画像読取センサで読み取っている間に、第２のセット口から第２の搬送手段により搬送された原稿が第５の検知手段でその先端を検知した位置で、クラッチにより第２の駆動モータからの駆動力をオフして原稿を待機させ、第４の検知手段により読み取っている原稿の最終頁の後端検知後に、クラッチをオンさせて待機原稿を搬送し読み取りを行い、また、操作部からの入力に応じた第１のセット口に装填された原稿束が分離・搬送されて読み取られる原稿の任意の頁間に、第２のセット口に装填された原稿の読み取りを行う制御をすることを特徴とする。
【０００９】
また、前記原稿読取装置は、第１のセット口に装填された原稿束が分離・搬送されて読み取り処理中で、第３の検知手段が第１搬送路の原稿先端を検知しているときに、第２のセット口に原稿が装填されたことを第２の検知手段で検知すると、第２の搬送手段により原稿の搬送を行い第５の検知手段の原稿先端の検知により停止して待機し、第３の検知手段の原稿の後端検知により待機している原稿の搬送を開始して読み取りを行うことを特徴とする。
【００１０】
また、前記原稿読取装置は、第２のセット口に原稿が装填されたことを第２の検知手段が検知した際に、第１のセット口から分離・搬送され読み取り処理中の途中に、原稿読み取りの割込指示をオン・オフする釦スイッチを第２のセット口の近傍に備え、釦スイッチのオン・オフにより第２のセット口から搬送される原稿読み取りの割り込みを制御することを特徴とする。
【００１１】
また、前記原稿読取装置は、第１のセット口に装填された原稿束が分離・搬送される読み取り処理中の状況を表示部に示し、第２のセット口から原稿読み取りの割込指示が受付可能か否かを通知するように構成したものである。
【００１２】
前記構成によれば、第２のセット口からの１頁目の原稿後端と、第１のセット口からの２頁目の先端の間隔を短くして連続した搬送をすることにより、読み取り時間を短縮できる。
【００１３】
また、写真原稿などのストレートの搬送路でなければ送れない原稿等の制限される原稿の読み取り順を変更できる。
【００１４】
また、操作部への入力によって、第１のセット口からの原稿と第２のセット口からの原稿の読み取り順を任意に設定でき、ユーザの所望する順で原稿を読み取ることができ、設定後は自動で処理されるため、作業を容易とすることができる。
【００１５】
また、ストレートの搬送路から送りたい原稿が２枚以上ある場合でも、読み取り処理中の原稿の頁間に割り込むことができ、その読み取り処理や作業時間を短縮できる。
【００１６】
また、第１のセット口から読み取り処理中に第２のセット口へ原稿の装填を誤って行っても、割込指示をオン・オフする釦により誤った読み取り処理を行われることを防ぐことができる。
【００１７】
また、第１のセット口からの読み取り処理中の原稿に第２のセット口からの原稿読み取り処理を行う際に、装置の状態を表示部に表示させ、そのタイミングをユーザに知らせることで、原稿をセットするタイミングの遅れなどによる不具合をなくすことができ、操作性を向上させることができる。
【００１８】
【発明の実施の形態】
以下、図面を参照して本発明における実施の形態を詳細に説明する。
【００１９】
（実施の形態１）
図１は本発明の実施の形態１の参考例１における原稿読取装置の概略を示す構成図である。ここで、前記従来例を示す図１１において説明した構成部材に対応し実質的に同等の機能を有するものには同一の符号を付してこれを示し、以下の各図においても同様とする。図１において、１は第１のセット口、２はピックアップコロ、３はフィードローラ、４はリバースローラ、５は第１の搬送手段、６は第１搬送路、７は上流搬送ローラ、８は読取部、８ａは画像読取センサ、９は下流搬送ローラ、１１は第２のセット口、１２は第２の搬送手段、１３は第２搬送路、１５は第１の検知手段、１６は第２の検知手段、１７は第３の検知手段、１８は第４の検知手段、１９は搬送路交点、２０は第１の駆動モータ、２１は第２の駆動モータである。
【００２０】
また、図２は参考例１における原稿読取装置の各搬送ローラの概略を示す斜視図であり、図３は原稿読取装置の制御動作を示すフローチャートである。この図３のフローチャートに基づき図１を参照しながら、本参考例１の動作を説明する。
【００２１】
いま、第１のセット口１に原稿束、第２のセット口１１に原稿Ｄが装填されており、原稿から画像読み取りを行うため原稿読取装置の起動スイッチがオンされたか否かを確認する（Ｓ１）。起動スイッチがオンされると（Ｙｅｓ）、まず、第２のセット口１１に原稿Ｄが装填されたか否かを第２の検知手段１６により確認する（Ｓ２）。この第２の検知手段１６が原稿Ｄを検知したとき（Ｙｅｓ）、第１の検知手段１５により第１のセット口１に原稿束の装填を確認する（Ｓ３）。第１のセット口１で原稿Ｄを検知していないとき（Ｎｏ）、第２の駆動モータ２１が起動され（Ｓ４）、それにより駆動される第２の搬送手段１２によって、第２のセット口１１からの原稿Ｄは第２搬送路１３を通って読取部８へ送られる（Ｓ５）。
【００２２】
読取部８において原稿Ｄは、内部の搬送路に設けられた画像読取センサ８ａで読み取りを行うため上流搬送ローラ７により搬送され（Ｓ６）、第４の検知手段１８によって原稿Ｄの先端が検知されると、読み取りの処理が開始される（Ｓ７）。さらに、第４の検知手段１８によって原稿Ｄの後端が検知されると、読み取り処理を終了し（Ｓ８）、下流搬送ローラ９により排紙して第２の駆動モータ２１を停止させる（Ｓ９）。そして、第３の検知手段により原稿Ｄの先端が検知されているか否か確認する（Ｓ１０）。検知されていなければ（Ｎｏ）、装填された原稿Ｄの読み取りの処理を終了する。
【００２３】
また、前記の処理Ｓ２において、第２の検知手段１６が原稿Ｄを検知しないとき（Ｎｏ）、第１の駆動モータ２０が起動される（Ｓ１１）。これにより、第１のセット口１から、ピックアップコロ２，フィードローラ３，リバースローラ４等からなる分離搬送機構部により分離・搬送された原稿Ｄは、第１の搬送手段５により第１搬送路６を搬送される（Ｓ１２）。第３の検知手段１７が原稿Ｄの先端を検出する（Ｓ１３）位置で、各搬送ローラを駆動する第１の駆動モータ２０を停止して原稿Ｄを位置Ａで待機させる（Ｓ１４）。そして、第４の検知手段１８により原稿Ｄの読み取りの処理中であるか否かを確認する（Ｓ１５）。
【００２４】
この処理Ｓ１５において、原稿Ｄを検知している読み取り処理中でないとき（Ｙｅｓ）、前記した処理Ｓ４〜Ｓ１０の処理と同時に、処理Ｓ１１〜Ｓ１５の処理を行う（Ｓ１６）。第１の検知手段１５によって第１のセット口１に原稿Ｄの有無を検知して、原稿Ｄがあると（Ｙｅｓ）この処理Ｓ１６を繰り返し、原稿Ｄがないとき（Ｎｏ）処理Ｓ４へ移る（Ｓ１７）。また、処理Ｓ１６において行われる処理Ｓ５で、第２の搬送手段１２による搬送動作は行われるが、第２のセット口１１には原稿Ｄがないために第２搬送路を原稿が搬送されることはない。
【００２５】
また、前記の処理Ｓ３においても、第１の検知手段１５による原稿Ｄの装填を検知したとき（Ｙｅｓ）、前記処理Ｓ１６の処理が行われ、前記した処理を第１の検知手段による原稿Ｄの検知が終了するまで繰り返される。
【００２６】
以上の動作により、第２のセット口１１の原稿Ｄの読み取り処理後に、第１のセット口１に原稿Ｄが有れば、その読み取り処理が直ちに行われることになり、読み取り処理時間を短縮することができ、さらにファクシミリ装置の場合などその通信処理時間を短縮することができる。
【００２７】
図４は本発明における実施の形態１の参考例２の原稿読取装置の概略を示す構成図である。図４において、１は第１のセット口、２はピックアップコロ、３はフィードローラ、４はリバースローラ、５は第１の搬送手段、６は第１搬送路、７は上流搬送ローラ、８は読取部、８ａは画像読取センサ、９は下流搬送ローラ、１１は第２のセット口、１２は第２の搬送手段、１３は第２搬送路、１５は第１の検知手段、１６は第２の検知手段、１７は第３の検知手段、１８は第４の検知手段、１９は搬送路交点、２０は第１の駆動モータ、２１は第２の駆動モータ、２２はクラッチ、２３は第５の検知手段である。
【００２８】
また、図５は参考例２における原稿読取装置の各搬送ローラの概略を示す斜視図であり、図６は原稿読取装置の制御動作を示すフローチャートである。
【００２９】
本参考例２は図４に示すように、前記参考例１の図１に示す構成に第２の駆動モータ２１から第２の搬送手段１２への駆動力をオン・オフするクラッチ２２と、第２搬送路１３を搬送される原稿Ｄの先端部を検知し、読取部８へ搬送される原稿Ｄの読み取り処理に割り込み可能な位置Ｂに待機させるため、搬送路交点１９と第２搬送手段の間に第５の検知手段を備えたものである。
【００３０】
また、図６フローチャートに示すように、まず、第１の検知手段１５により原稿Ｄの有無を確認し（Ｓ３′）、原稿Ｄが検知されると（Ｙｅｓ）、処理Ｓ１１〜Ｓ１５の原稿Ｄの搬送が行われる。さらに原稿読み取りとして、処理Ｓ４による第２の駆動モータ２１の起動後、読取部８において処理Ｓ６〜Ｓ９が行われ、原稿Ｄの読み取りが行われる。
【００３１】
そして、処理Ｓ１７における第１の検知手段１５による原稿Ｄが検知されなくなると（Ｎｏ）、最後の原稿Ｄの読み取り処理行われた後、第５の検知手段２３の検知した結果を確認し（Ｓ１８）、原稿Ｄを検知したとき（Ｙｅｓ）、クラッチ２２をオンして（Ｓ１９）処理Ｓ４以降の原稿Ｄの読み取り処理を行う。
【００３２】
また、図示しないが、第２のセット口１１に原稿Ｄが装填されたことを第２の検知手段１６が検知すると、クラッチ２２をオンして第５の検知手段２３が原稿Ｄの先端を検知するまで搬送し（このとき、第２の駆動モータ２１が停止していれば起動して）、第５の検知手段による原稿Ｄを検知した状態となる待機位置Ｂでクラッチ２２をオフする。
【００３３】
以上のように、本参考例２によれば、第１のセット口１の原稿Ｄを読み取り、その後、第２のセット口１１に装填された原稿Ｄを読み取る処理を行うことができ、その読み取り順を変更することができる。
【００３４】
次に、図７は本実施の形態１における制御部の概略を示すブロック図である。図７に示すように、制御部２４に読み取り順の指示のキー入力を行うテンキーなどからなる操作部２５と、それに対応し装置の状態などを表示する表示部２６、および終了された操作指示を記憶する記憶部２７を備えている。また、図８，図９は画像読取装置の設定，制御動作を示すフローチャートである。
【００３５】
本実施の形態１は、ＬＣＤ等の表示部２６に、例えば、第１のセット口１の原稿束の何頁目に第２セット口の原稿Ｄを割り込ませて、読み取りを行うか入力するよう表示し、操作部２５の操作によって入力された数字を記憶部２７に記憶し、以下のような制御を行う。
【００３６】
いま、第１のセット口１に原稿束、第２のセット口１１に原稿Ｄが装填されていて、原稿Ｄを第２の検知手段１６が検知すると（Ｓ２０）、クラッチ２２がオン，第２の駆動モータ２１が起動され（Ｓ２１）、第２搬送路１３を搬送され第５の検知手段２３の検知（Ｓ２２）する位置Ｂで停止する（Ｓ２３）。
【００３７】
さらに、表示部２６に「何頁目に割り込んで読み取り処理を行いますか」等のメッセージを表示し（Ｓ２４）、操作部２５からの入力を待ち（Ｓ２５）入力された値を記憶部２７に記憶する（Ｓ２６）。
【００３８】
本実施の形態１において、前記の処理Ｓ２０〜Ｓ２６の処理後に、起動スイッチがオン（Ｓ１）されると、前記図９のフローチャートに示したように、第１の駆動モータ２０を起動し（Ｓ１１）、第１のセット口１に装填された原稿束から分離・搬送された（Ｓ１２）原稿Ｄは、第３の検知手段１７で検知（Ｓ１３）される位置Ａまで第１搬送路を搬送される。さらに読取部８へ送られて読み取りの処理が開始される（Ｓ１６）。
【００３９】
ここで、第４の検知手段１８によって、読み取りを行うため検知（Ｓ７，Ｓ８）された原稿Ｄの枚数をカウントし記憶部２７に記憶した値と比較する（Ｓ２７）。この処理Ｓ２７は図９に示すようにフローチャートの処理Ｓ８と処理Ｓ９の間に挿入される。そして、図８の処理Ｓ２６により記憶部２７に予め記憶させた値の頁数ｎに基づき、ｎ−１枚目の原稿Ｄをカウントすると、処理Ｓ１８として第５の検知手段２３の検知結果をにより、原稿Ｄを検知すると（Ｙｅｓ）クラッチ２２をオンして第２の搬送手段１２を駆動する（Ｓ１９）。第２のセット口１１から装填され、待機位置Ｂの原稿Ｄがｎ枚目として読取部８へ搬送され読み取りが行われる。
【００４０】
その後、第４の検知手段１８がｎ枚目の原稿Ｄの後端を検知すると、クラッチ２２をオフして位置Ａに待機している原稿Ｄから再び搬送が開始されて、第１のセット口１からの原稿Ｄの残りを読み取り処理する。
【００４１】
以上のような制御を行うため、本実施の形態１では、予め原稿を第１，第２のセット口１，１１に装填し、割り込みを行いたい頁数を入力しておくことで、そのカウントが設定した値に達したとき、第５の検知手段の検知結果を有効とすることで、ユーザの所望する頁に原稿Ｄを挿入する読み取り処理を自動で行うことができる。
【００４２】
（実施の形態２）
本実施の形態２は、前記の実施の形態における第１のセット口１と第２のセット口１１に装填された原稿Ｄの読み取り処理において、第１のセット口１からの原稿Ｄの読み取り処理中に第２のセット口１１からの原稿Ｄが第２の検知手段１６で検知され、第２の搬送手段１２によって第５の検知手段２３が原稿Ｄを検知する位置Ｂへ搬送されたとき、その第５の検知手段２３の検知により割り込み処理を発生し、第４の検知手段１８が原稿Ｄの読み取り終了した後端部の検知を確認した後、読み取り処理を行うものである。例えば、図９の処理Ｓ２７に変えて前記の割り込みを確認すための処理を行うようにする。
【００４３】
これにより、ユーザは第２のセット口１１からの手差しによる原稿を、第１のセット口１から現在読み取り処理中の原稿束に割り込んで、読み取りの処理を行うことを任意の時に何回でもすることができる。
【００４４】
（実施の形態３）
図１０は本実施の形態３における制御部の概略を示すブロック図である。図１０に示すように、本実施の形態５は割り込み釦２８を設けたもので、第１のセット口１から読み取り処理が行われている原稿束に、第２のセット口１１に装填された原稿Ｄの読み取りを行わせるための外部からユーザが割り込みを行わせるために設けたものである。
【００４５】
この割り込み釦２８は、前記の実施の形態２において制御処理中にて原稿Ｄの装填により自動的に行われていた処理を、任意の箇所でユーザが行えるようにしたものである。これにより、装置が割り込み処理を行う前に割り込み釦２８の操作が必要となるため、確認処理を行うことができ、誤った処理を行うことがなくなる。
【００４６】
（実施の形態４）
本実施の形態４は原稿Ｄの読み取り処理を行っている処理時間を表示部に表示させるようにしたものである。例えば、「セット可能な残り時間」等のように、１枚目の原稿Ｄの読み取りを終了してから装置が、次の原稿の読み取り開始を待てる最大の時間（製品のシステムにより差がある）を設計時に計算して記憶部２７（図７参照）に記憶しておき、原稿Ｄの読み取りを終了すると表示部２６にその値を表示する。その後は、カウンタなどにより残り時間を計算して、その値を表示部２６に順次表示する。
【００４７】
また、この表示時間は、ユーザが第２のセット口１１に原稿Ｄを装填してから第２の搬送手段１２が搬送して、読み取りを開始するために必要な時間を引いた値を示すようにしておく、この値はユーザ操作のばらつきを含むため厳密な値ではなく、そのために、充分マージンを持った少な目な値を表示するようにしておく。
【００４８】
前記の例では読み取り終了してから時間表示を開始したが、表示できる残り時間が短くなるため、その操作性を考慮すると第３の検知手段１７または第４の検知手段１８にて原稿の後端を検知してから表示を開始してもよい。
【００４９】
以上のことから、ユーザが読み取り処理の割り込みを容易に、かつ正確に処理することができる。
【００５０】
【発明の効果】
以上説明したように、本発明によれば、第２のセット口からの１頁目の原稿後端と、第１のセット口からの２頁目の先端の間隔を短くし連続した搬送をすることにより、読み取り時間を短縮し、その画像に係る処理を短縮することができる。
【００５１】
また、写真原稿などのストレートの搬送路でなければ送れない原稿等からの制限される原稿等の読み取り順を任意に変更でき、例えば、原稿順の違いによる受け取る側での混乱をさけることができる。
【００５２】
また、第１のセット口からの原稿に第２のセット口からの原稿を任意に設定した頁に、所望する原稿を割り込ませて読み取ることができ、その処理を自動で処理でき、作業を容易とすることができる。
【００５３】
また、第２のセット口から読み取りたい原稿が２枚以上ある場合でも、第１のセット口の連続読み取り処理中の原稿束の頁間に割り込むことができ、その読み取り処理や作業時間を短縮できる。
【００５４】
また、第１のセット口からの原稿読み取り処理中に第２のセット口へ原稿の装填を誤って行ったとき、割込指示をオン・オフする釦により誤った読み取り処理を行われることを防ぐことができる。
【００５５】
また、第１のセット口から原稿読み取り処理中に第２のセット口からの原稿を読み取りを行うとき、装置の状態を表示部に表示させ、そのタイミングをユーザに知らせることで、原稿をセットするタイミングの遅れなどによる操作性の不具合をなくし、操作性を向上させることができるという効果を奏する。
【図面の簡単な説明】
【図１】  本発明における実施の形態の参考例１の原稿読取装置の概略を示す構成図
【図２】  本参考例１の原稿読取装置の各搬送ローラの概略を示す斜視図
【図３】  本参考例１の原稿読取装置の制御動作を示すフローチャート
【図４】  本発明における実施の形態１の参考例２の原稿読取装置の概略を示す構成図
【図５】  本参考例２の原稿読取装置の各搬送ローラの概略を示す斜視図
【図６】  本参考例２の原稿読取装置の制御動作を示すフローチャート
【図７】  本発明における実施の形態１の制御部の概略を示すブロック図
【図８】  本発明における実施の形態１の原稿読取装置の設定動作を示すフローチャート
【図９】  本発明における実施の形態１の原稿読取装置の制御動作を示すフローチャート
【図１０】  本発明における実施の形態３の制御部の概略を示すブロック図
【図１１】  従来の原稿読取装置の概略を示す構成図
【符号の説明】
１  第１のセット口
２  ピックアップコロ
３  フィードローラ
４  リバースローラ
５  第１の搬送手段
６  第１搬送路
７  上流搬送ローラ
８  読取部
８ａ  画像読取センサ
９  下流搬送ローラ
１０  排紙ローラ
１１  第２のセット口
１２  第２の搬送手段
１３  第２搬送路
１４  レジストセンサ
１５  第１の検知手段
１６  第２の検知手段
１７  第３の検知手段
１８  第４の検知手段
１９  搬送路交点
２０  第１の駆動モータ
２１  第２の駆動モータ
２２  クラッチ
２３  第５の検知手段
２４  制御部
２５  操作部
２６  表示部
２７  記憶部
２８  割り込み釦
【図１】
0004060488.tif 000002
【図２】
0004060488.tif 000003
【図３】
0004060488.tif 000004
【図４】
0004060488.tif 000005
【図５】
0004060488.tif 000006
【図６】
0004060488.tif 000007
【図７】
0004060488.tif 000008
【図８】
0004060488.tif 000009
【図９】
0004060488.tif 000010
【図１０】
0004060488.tif 000011
【図１１】
0004060488.tif 000012